(57)【要約】【課題】  使い捨て内壁として機能することができる市販の袋体を、コネクターにより容易に取付け取外すことができる、スプレーガンに用いる安価な液体収容カップおよびその液体収容カップを取付けたスプレーガンを提供することを目的とする。【解決手段】  液体収容カップと、一端に液体を受け入れるためのシール可能な液体入口を有し、該カップの内部形状に適合する取付け取外し可能な可撓性の袋体と、該袋体を該カップの液体出口へシール可能に固定するためのコネクターとを備えたスプレーガンの液体収容カップであって、該コネクターは、その先端が該袋体の他端の液体出口を貫通して該カップの液体出口と嵌り合い、かつ該コネクターの後端は該袋体の他端の液体出口周縁部を該カップの該液体出口へシールして固定されていることを特徴とする、スプレーガンの液体収容カップを提供する。【選択図】  図２
2005224735.tif 000002
【特許請求の範囲】
【請求項１】
液体収容カップと、
一端に液体を受け入れるためのシール可能な液体入口を有し、該カップの内部形状に適合する取付け取外し可能な可撓性の袋体と、
該袋体を該カップの液体出口へシール可能に固定するためのコネクターとを備えたスプレーガンの液体収容カップであって、
該コネクターは、その先端が該袋体の他端の液体出口を貫通して該カップの該液体出口と嵌り合い、かつ該コネクターの後端は該袋体の他端の液体出口周縁部を該カップの該液体出口へシールして固定されていることを特徴とする、スプレーガンの液体収容カップ。
【請求項２】
該コネクターは、その後端と該カップの内壁との間に該袋体の他端の液体出口周縁部を挟み込むようにして該袋体の内側から外側へと押圧させることにより、該カップの液体出口へシールして固定されていることを特徴とする、請求項１に記載の液体収容カップ。
【請求項３】
該コネクターは、その内部に液体を通過させるための貫通孔を有し、かつその外部は少なくとも２つの異なる外径を有する円筒体であることを特徴とする、請求項１又は２に記載の液体収容カップ。
【請求項４】
該コネクターの後端は、該カップの該液体出口の内径より大きな外径を有するフランジ形状であることを特徴とする、請求項１ないし３のいずれかに記載の液体収容カップ。
【請求項５】
該コネクターの先端の形状が円筒形であり、その外部形状は後端から先端に向って外径が小さくなるようにテーパーが付いていることを特徴とする、請求項１ないし４のいずれかに記載の液体収容カップ。
【請求項６】
該コネクターの該貫通孔の形状は、その入口（後端）から出口（先端）に向って内径が小さくなるようにテーパーが付いている、又は面取り加工が施されていることを特徴とする、請求項１ないし５のいずれかに記載の液体収容カップ。
【請求項７】
該コネクターは、弾力性のあるプラスチック材料から形成されていることを特徴とする、請求項１ないし６のいずれかに記載の液体収容カップ。
【請求項８】
該コネクターは、ポリエチレン又はポリプロピレンから成形されていることを特徴とする、請求項１ないし７のいずれかに記載の液体収容カップ。
【請求項９】
該コネクターは、先端部分を該コネクターの貫通孔に挿入させることで該コネクター本体を支持する棒状のコネクター取付手段であって、該コネクター取付手段を使用することにより、該袋体の液体出口を該カップの液体出口へシール可能に固定されていることを特徴とする、請求項１ないし８のいずれかに記載の液体収容カップ。
【請求項１０】
該コネクターは、予め該袋体の液体出口に接着されていることを特徴とする、請求項１ないし９のいずれかに記載の液体収容カップ。
【請求項１１】
該液体の液体出口は、該コネクターを該袋体へ取付ける時に、該コネクターが該袋体の他端を内部から外部へと刺通することにより開口されることを特徴とする、請求項１ないし１０のいずれかに記載の液体収容カップ。
【請求項１２】
該袋体の液体出口は、予め該袋体の他端に設けられていることを特徴とする、請求項１ないし１１のいずれかに記載の液体収容カップ。
【請求項１３】
該袋体の液体を受け入れるための液体入口は、該カップの液体入口周縁部より外部へ延ばされており、該延長された液体入口は該カップの液体入口周縁部において、該延長された液体入口を該カップの内側から外側へと容易に折り返すことができるようにするための、少なくとも２以上の略Ｖ字カットが施されていることを特徴とする、請求項１ないし１２のいずれかに記載の液体収容カップ。
【請求項１４】
該袋体は、プラスチック材料から成形されていることを特徴とする、請求項１ないし１３のいずれかに記載の液体収容カップ。
【請求項１５】
該袋体は、ポリエチレン又はポリプロピレンから成形されていることを特徴とする、請求項１ないし１４のいずれかに記載の液体収容カップ。
【請求項１６】
該袋体は、内部に収容された液体が見えるような透明又は半透明材料から成形されていることを特徴とする、請求項１ないし１５のいずれかに記載の液体収容カップ。
【請求項１７】
該袋体の液体を受け入れるための液体入口のシール手段が、ヒートシールであることを特徴とする、請求項１ないし１６に記載のいずれかに記載の液体収容カップ。
【請求項１８】
該袋体の液体を受け入れるための液体入口のシール手段が、接着剤又は粘着テープによるものであることを特徴とする、請求項１ないし１６のいずれかに記載の液体収容カップ。
【請求項１９】
該袋体の液体を受け入れるための液体入口のシール手段が、該袋体に設けられたシールチャックであることを特徴とする、請求項１ないし１６のいずれかに記載の液体収容カップ。
【請求項２０】
該袋体に液体が収容されていることを特徴とする、請求項１ないし１９のいずれかに記載の液体収容カップ。
【請求項２１】
該袋体に収容される液体が、塗料又は園芸用化学薬品であることを特徴とする、請求項１ないし２０のいずれかに記載の液体収容カップ。
【請求項２２】
該液体収容カップが取付けられていることを特徴とする、請求項１ないし２１のいずれかに記載のスプレーガン。
【発明の詳細な説明】
【技術分野】
【０００１】
本発明は、スプレーガンに使用する液体収容カップ、特に使い捨て内壁として機能する袋体をコネクターにより取付けた液体収容カップおよびその液体収容カップを取付けたスプレーガンに関する。
【背景技術】
【０００２】
使い捨て収容容器には、多くの異なる分野において多くの用途がある。たとえば、多くの物品は、購入の前後に袋などの使い捨て収容容器に包装される。使い捨て収容容器がプラスチックの袋体である場合、購入者は、この袋体をごみ箱など、別の容器の使い捨て内壁として再利用することが多い。場合によって、使い捨て内壁は、他の再利用可能な容器に特に使用するために製造されることがあり、この場合、内壁は、容器の中身の廃棄に役立つか、容器またはその中身を保護するか、また容器の清掃を不要にすることまでも意図される。
【０００３】
接着剤、塗料または石膏のような物質を内部で混合するか、または使用するために内部に収容する液体収容カップに内壁を使用すると、使用後にカップを清掃するのが容易になり、容器内の物質が他の物質の残りによって汚れるのを防ぐという点で特に有利である可能性がある。
【０００４】
たとえば、塗料を内部で混合するか、使用のために塗料を内部に収納するカップは、塗料の色または品質が他の品質の痕跡によって変化しないように清掃しなければならない。これは、車輌に再塗装する場合、上記のように特に重要であり、塗料は、既存の塗料に適合する必要がある。塗料を混合するときの汚濁の問題を避けるため、車体工場では、使い捨て蝋紙のカップを混合用液体収容カップとして使用することが多く、ごく少量の塗料が必要な場合は特にそうである。
【０００５】
米国特許第４３８３６３５号に記載されている別の方法では、使い捨て収容カップが、再利用可能な枠状容器内に配置されて使用される。
【０００６】
スプレーガンの分野では、様々な理由で、使い捨て内壁をガンの液体収容カップに使用すべきであると提案されてきた（米国特許３２１１３２４号、第３２５５９７２号、第４１５１９２９号、第４９５１８７５号および第５１４３２９４号並びに欧州公開第０６７８３３４号）。
【０００７】
塗料、園芸用化学薬品などの液体を噴霧するためのガンは一般に公知であり、分配される液体を収容するタンクと、圧力下で、トリガー機構の制御により液体が分配されるスプレーノズルとを一般に備える。
【０００８】
液体は、重力下でタンクから供給されるが、または外部の源からガンに供給される空気または水などのような加圧流体の流れの中に引き込まれる。
【０００９】
使用者がスプレーガンのタンク内の液体を変えたい場合、一般に、古い液体の痕跡がガン内に残って新しい液体を汚濁させないように、ガンをきわめて完全に清掃する必要がある。これは、特に塗料スプレーガンに言えることである。なぜなら、古い回分の塗料がガン内に残っていると、新しい回分の塗料を使用できなくなる程、新しい回分の塗料の色に影響するからである。
【００１０】
これは、特に、車輌に塗布する塗料を既存の塗料工作物に正確に適合させる必要があることが多い車体工場で問題を生じる可能性がある。あるいは、塗料の残留物は、ガン内で乾燥すると、鱗状に剥離して新しい回分の塗料を汚濁させる場合がある。しかし、スプレーガンの清掃は、比較的複雑かつ時間がかかる作業である。
【００１１】
さらに、塗料スプレーガンの場合、清掃作業では、環境上の理由から取扱いおよび廃棄に注意を要する溶剤をかなり多量に使用する。その結果、塗装作業のコストが著しく増大する可能性がある。使い捨て内壁をスプレーガンの塗料タンクつまり塗料ポット内に使用して、ガンの清掃を単純化するとともに、必要な溶剤の量を減少させる方法は既に提案されていた。
【００１２】
また、スプレーガンの分野では、さらなるコストの低減、使用に際しての取扱いおよび充填の容易性を向上される目的で、使用または廃棄されるときに側壁が潰れることができる内壁、またはその内壁を使用した液体収容カップについても提案されている（国際公開番号ＷＯ９８／３２５３９号）。
【発明の開示】
【発明が解決しようとする課題】
【００１３】
ところが、スプレーガンの液体収容カップに使用される内壁等は、カップの形状に適合させた専用の形状を有するプラスチック材料からなるものを使用しなければならないために、他の種類のスプレーガンの液体収容カップとの互換性がなく、しかも高価であるといった問題点があった。
【００１４】
そこで、市販のプラスチック材料からなる袋体をもスプレーガンの液体収容カップの内壁として使用することができ、そしてスプレーガンのカップの種類にかかわらず袋体を取付けることができる、簡易かつ安価で取扱い容易なコネクターを利用した液体収容カップを提供することを目的とする。
【課題を解決するための手段】
【００１５】
本発明は、十分に安価で使い捨て可能であるとともに、使用または廃棄されるときに容易に潰れることができ、しかも使用の際の取扱いが非常に容易な液体収容カップおよびその液体収容カップを取付けたスプレーガンを提供することに関する。
【００１６】
本発明は、特に使い捨て内壁として機能する市販の袋体をコネクターにより取付けることができる液体収容カップ等を提供することに関する。
【００１７】
その結果、本発明はスプレーガンおよび類似の装置の清掃を単純化し、そして、こうした清掃作業に関連する時間およびコストを大幅に低減させることを可能にする。また使い捨て部品は使用後小さく折りたたんで捨てることができ、廃棄物の減容に役立つ。
【００１８】
本発明は、液体収容カップと、
一端に液体を受け入れるためのシール可能な液体入口を有し、カップの内部形状に適合する取付け取外し可能な可撓性の袋体と、
袋体をカップの液体出口へシール可能に固定するためのコネクターとを備えたスプレーガンの液体収容カップであって、
コネクターは、その先端が袋体の他端の液体出口開口を貫通してカップの出口と嵌り合い、かつコネクター後端は袋体の他端の液体出口周縁部をカップの液体出口へシールして固定されていることを特徴とする、スプレーガンの液体収容カップを提供する。
【００１９】
さらに詳しく述べると、本発明は、前記コネクターがその後端とカップの内壁との間に袋体の他端の液体出口周縁部を挟み込むようにして袋体の内側から外側へ押圧させることにより、カップの液体出口へシールして固定されていることを特徴とする液体収容カップを提供する。
【００２０】
本発明は、さらに内部に液体を通過させるための貫通孔を有し、かつ外部は少なくとも２つの異なる外径を有する円筒体であるコネクターを使用した、液体収容カップを提供する。
【００２１】
本発明はさらに、先端部をコネクターの貫通孔に挿入させることで前記コネクター本体を支持することができる棒状のコネクター取付手段であって、前記コネクター取付手段を使用することにより、袋体の液体出口をカップの液体出口へシール可能に固定することができる液体収容カップを提供する。
【００２２】
本発明はさらに、コネクターを袋体へ取付ける時に前記コネクターが袋体の他端を内部から外部へと刺通することにより液体出口を開口させることができる袋体を使用した液体収容カップを提供する。
【００２３】
本発明はさらに、予め袋体の他端に液体出口が設けられている袋体を使用した液体収容カップを提供する。
【００２４】
本発明は他の態様として、本発明による液体収容カップが取付けられているスプレーガンを提供する。
【発明を実施するための最良の形態】
【００２５】
図１は、従来のタイプの代表的な使い捨て可能な内壁２１を備えた液体収容カップ２およびその液体収容カップを取付けたスプレーガン１の概要を示している。
【００２６】
液体収容カップ２はカップ本体２０を備え、その中に着脱可能な内壁２１が装着される。
【００２７】
内壁２１は、カップ本体２０の内部の形状に密接に適合するように専用の形に成形された可撓性のプラスチック材料から作られており、その一端には液体を受け入れ、または液体を排出するための開口２５が設けられている。
【００２８】
また、内壁２１は、カップ本体２０の内部にシールして固定するために内壁２１の開口２５に押込嵌合いする使い捨てのキャップ２２および取付カラー２３を備えており、さらに組立てられた液体収容カップ２は、アダプター２４を介してスプレーガン１の液体供給口へ取付けられる。
【００２９】
このように、従来の液体収容カップ２およびこれを取付けたスプレーガン１は、使用後のカップ本体２０の清掃の必要性を排除し、使用する溶剤の量を減少させる。
【００３０】
しかしながら、液体収容カップ２に使用される内壁２１、キャップ２２および取付カラー２３は、個々のスプレーガンに使用される専用の部品であるために汎用性がなく、これらは使い捨て部品であるために高価であるといった問題があった。
【００３１】
図２は、本発明による使い捨て可能な内壁として機能する袋体３１を、コネクター３３によりカップ本体３０に取付けた液体収容カップ３およびその液体収容カップを取付けたスプレーガン１の概要を示している。
【００３２】
本発明による液体収容カップ３は、カップ本体３０およびカップ本体の液体受け入れ口３４を閉塞するためのキャップ３２と、カップ本体の内部形状に適合することができる取付け取外し可能な可撓性の袋体３１と、袋体をカップ本体の液体出口へシール可能に固定するためのコネクター３３より構成される。
【００３３】
カップ本体３０およびキャップ３２は、それらが使用されるスプレーガンに付属した部品をそのまま利用することができるため、本願発明による液体収容カップを構成させるために特別な形状または材質等を用いた専用のカップ本体およびキャップへ作り変えたり改造したりする必要はない。
【００３４】
図３は、一般的なスプレーガンに付属する液体収容カップ本体３０およびそのキャップ３２の分解図を示している。
【００３５】
カップ本体３０は、一端に外部から液体を受け入れるための液体入口３４と、他端に収容した液体をスプレーガン１へ供給するための液体出口３５とを備える。また、本発明においては、液体入口３４は袋体３１を受け入れるための開口としても機能し、さらに液体出口３５は、袋体３１をコネクター３３によりシールして固定するための開口としても機能することができる。
【００３６】
液体入口３４のカップ本体外側周縁部３８にはねじ山が切られており、使用の際はこれと係合するキャップ３２が液体入口３４の上からねじ込まれる。また、これと同様に液体出口３５のカップ本体外側周縁部４８にもねじ山が切られており、使用の際はこれと係合するスプレーガンの液体供給口（図示せず）へねじ込まれる。
【００３７】
図４は、本発明による内壁として使用される袋体３１を示している。
【００３８】
袋体３１は、一端に液体を受け入れるための液体入口３６を備えており、カップ本体３０に取付けた時にカップの内部形状に適合することができる可撓性のフィルムから成形されていれば、市販の袋体であってもそのまま使用することができる。
【００３９】
袋体３１の形状は、特に制限されるものではなく、カップ本体３０の内部形状に対応して適合することができるものであれば、例えば、扁平に折り畳んだ状態で長方形や台形であっても、また、内部に液体を収容した状態においても完全な円筒形を形成するものでなくても使用することができる。
【００４０】
好ましくは袋体３１の形状は、内部に液体を収容した状態において、その胴部３１が略筒状の形状に膨らむことができるものであって、さらに好ましくは、液体入口３６とは反対側に位置する他端において、シール部分が水平面に対し略Ｙ字型を形成するようにある適当な角度を持ってシール又は閉じた他端を形成しているものであってよい。
【００４１】
このような形状は、袋体３１がカップ本体３０の内部の形状に密接して適合することを向上させ、また、袋体３１の中に収容された液体がスプレーガン１によって全て排出された時、袋体３１の中の残存する液体を減少させる効果を得るために役立つことができる。
【００４２】
さらに好ましくは、袋体３１の液体を受け入れるための液体入口３６の形状は、袋体３１をカップ本体３０へ取付けた時にカップ本体３０の液体入口３４周縁部より外部へ延ばされており、前記延長された液体入口３６はカップ本体の液体入口３４周縁部において、延長された液体入口３６をカップ本体３０の内側から外側へと容易に折り返すことができるようにするための、少なくとも２以上の略Ｖ字カットが施されていることが望ましい。
【００４３】
袋体３１の延長された液体入口３６は、略Ｖ字カットによる周端長さの延長効果により、袋体の水平ライン３９より上部の延長部分において内側から外側へと容易に折り返すことができるようになる（図９参照）。
【００４４】
袋体３１には、液体入口３６とは反対側に位置する他端において、収容された液体を排出するための液体出口３７を予め設けることもできる。
【００４５】
予め設けられた液体出口３７は、袋体３１の中でのコネクター３３の位置決めおよび取付けといった作業性を向上させ、さらには、液体出口３７における袋体３１とカップ本体との間のシール性向上および袋体３１の意図しない破損をも防止するために役立てることができる。
【００４６】
しかしながら、袋体の液体出口３７は、袋体３１をカップ本体３０へ取付ける際に、あとで詳述されるコネクター３３により袋体３１のシール又は閉じた他端を内部から外部へ刺通させることにより開口されるため、取付け前の袋体３１の初期形状には、必ずしも収容された液体を排出するための液体出口３７が備えられている必要はない。
【００４７】
袋体３１に用いられるフィルムまたは材料は、可撓性の性質を有するものであれば特に制限はなく、この性質によって袋体３１は、袋体取付け時においてはカップ本体３０の内部形状に適合するように変形することができ、スプレーガン使用時においては収容された液体が消費されることによって生じる減圧によって自然と潰れることができ、そして使用後においては、空となった袋体３１を扁平状に折り畳んで容易かつコンパクトに廃棄することができるように押し潰すことができるようになる。
【００４８】
汎用のスプレーガン１は、一般的に塗料や園芸用化学薬品の噴霧のために使用される場合が多いので、これらの薬品を収容するための袋体３１は、好ましくはプラスチック材料から成形されているものがよく、さらに好ましくは、ポリエチレンまたはポリプロピレンから成形されていることが望ましい。
【００４９】
また、汎用のスプレーガン１を塗装用等に使用する場合は、カップ本体３０に取付けられた袋体３１の内部または外部で調合された塗料の色を確認する必要がある場合があるので、好ましくは袋体３１の材料は透明または半透明材料から成形されていることが望ましい。
【００５０】
本発明に用いられる袋体３１は、カップ本体３０に取付けられた後、その中に液体を収容し、そして収容した液体が外部へ漏れないようにシール４７することができる液体入口３６を有する（図１０参照）。
【００５１】
シール手段は、外部からヒートシーラーを用いて袋体３１の液体入口３６をヒートシールする方法であってもよく、この場合は、予め袋体３１の液体入口３６近傍に特殊なシール手段を加工準備しておく必要がないため、安価でかつ簡便である。
【００５２】
また、他の簡便なシール手段としては、袋体３１の液体入口３６を接着剤や粘着テープを用いてシールする方法であってもよく、さらには、袋体３１の液体入口３６近傍に予め準備されたシールチャック等を用いてシールする方法であってもよい。
【００５３】
このように、本発明に用いられるシール手段は特に限定されるものではないが、シールした後の袋体３１の密閉性を確実にし、その取扱いが容易であり、そして安価であることが配慮される。
【００５４】
図５は、本発明により、袋体３１をカップ本体３０へシールして固定するためのコネクター３３の概要を示している。
【００５５】
コネクター３３は全体として略漏斗形状を有しており、その中には、袋体３１の液体出口３７を貫通してカップ本体３０の液体出口３５の内面と嵌合せるための先端４０と、袋体３１の液体出口周縁部４３をカップ本体３０の液体出口３５へシールして固定するための後端４１とを備える。
【００５６】
また、コネクター３３は、袋体３１の中に収容された液体をカップ本体３０の液体出口３５およびスプレーガン１へ供給するための貫通孔４２を含んでいる。
【００５７】
コネクター３３の先端４０および後端４１の形状および大きさは、袋体３１を取付けた時にこれと隣接するカップ本体３０の液体出口３５の形状および大きさから適当に決定される。
【００５８】
また、コネクター３３の貫通孔４２の水平断面形状および大きさは、コネクター先端４０および後端４１の肉厚強度および排出する液体の流速を考慮して決定される。
【００５９】
図６は、本発明により、袋体３１の液体出口３７をコネクター３３によってカップ本体３０の液体出口３５へシールして固定している状態を示す中心断面図である。
【００６０】
一般的なカップ本体３０の液体出口３５の水平断面形状は円形であるため、コネクター３３の外部形状はこれと適合することができるように円筒形の形状を有する。
【００６１】
コネクター３３の先端４０および後端４１は、互いに異なる外径を有するように作られており、その先端４０はカップ本体３０の液体出口３５の内径と略同じであるか、またはわずかに大きな外形を有しており、後端４１はカップ本体３０の液体出口３５の内径よりもさらに大きく、かつ前記コネクター３３の先端４０の外径よりも大きな外径を有する、いわゆるフランジ形状を有している。
【００６２】
これらの先端４０および後端４１の形状は、その先端４０においてはカップ本体３０の液体出口３５の内面との間で直接液密に嵌合うことを可能にし、他方、その後端４１においてはカップ本体３０とコネクター３３との間に袋体３１の液体出口周縁部４３をシールして固定するように挟み込み、かつコネクター３３がカップ本体３０の液体出口３５を通り抜けるのを阻止するために機能する。
【００６３】
コネクター３３によってカップ本体３０へ取付けられた袋体３１（その肉厚は誇張して示されている）は、袋体３１の液体出口周縁部４３をカップ本体３０の液体出口３５へシールして固定する。
【００６４】
より具体的には、図６を参照して理解される。コネクター３３は袋体３１の内部から挿入され、コネクター３３の先端４０が袋体３１のシール又は閉じた他端を突き破るように、または前記先端４０が袋体３１の他端に予め設けられた液体出口３７を貫通するようにカップ本体３０の液体出口３５の中へ押圧された後、コネクター３３の後端４１が袋体３１の液体出口周縁部４３を挟み込むようにカップ本体３０の内壁と接触するまで押し込まれる。
【００６５】
この時、袋体３１の液体出口周縁部４３は、コネクター３３の後端４１とカップ本体の内壁との間でシールして固定されるため、固定した後で袋体３１の中へ収容される液体が、袋体３１の液体出口３７を通過してカップ本体３０と袋体３１の間に流出することはない。
【００６６】
また、コネクター３３の先端４０は、カップ本体３０の液体出口３５の中へ十分な摩擦抵抗を持って密接に挿入されているため、コネクター３３がカップ本体３０の液体出口３５から容易に離脱することもない。
【００６７】
さらに、コネクター３３の先端４０の円筒状の外部形状は、その後端から先端に向って外径が小さくなるようにテーパーを付けることにより、コネクター３３をカップ本体３０の液体出口３５への取付ける際の適合範囲を拡大させ、さらに、その取付け作業の容易性および取付けた後の摩擦抵抗による固定の確実性を向上させることができる。
【００６８】
さらに、コネクター３３の材料に弾力性のあるプラスチック材料を選択することによっても上記と同様の効果が得られ、コネクター３３の先端４０の外部形状に前記テーパーを付けて、かつコネクター３３を形成する材料に前記プラスチック材料を使用した場合には、上記効果は相乗効果となって一層増大する。
【００６９】
ただし、コネクター３３の後端４１は、袋体３１の液体出口周縁部４３を上から押し付けるためにも機能するものであるから、コネクター３３に適用されるプラスチック材料にはある程度の剛性を有するものが選ばれていることが好ましく、具体的にはポリエチレンまたはポリプロピレンから成形されていることが望ましい。
【００７０】
コネクター３３と袋体３１の液体出口周縁部４３との一体性を高め、シール性をより確実にしたものを望む場合は、コネクター３３を予め袋体３１の液体出口周縁部４２へ接着したものを使用することができる。
【００７１】
この場合、コネクター３３と袋体３１の液体出口周縁部４２との接着は、図６に示されるように袋体３１の内部からコネクター３３の後端４１を袋体出口周縁部４３へ接着させてもよく、また、袋体３１の外部からコネクター３３の後端４１を袋体出口周縁部４３へ接着させてもよい。
【００７２】
しかしながら、袋体３１をカップ本体へ取付けおよび取外す際の作業の容易性、液漏れに対する安全性を考慮した場合は、前者の接着方法の方が有利である。
【００７３】
コネクター３３の中に設けられた貫通孔４２の形状は円形の断面形状であってよく、またその入口（後端）から出口（先端）に向って内径が小さくなるようにテーパーまたは面取り加工が施されているものが好ましい。
【００７４】
円形である貫通孔４２の断面形状は、その中を流れる液体の流れを均質にし、また、貫通孔４２の入口（後端）近傍に設けられたテーパーまたは面取りは、貫通孔４２へ流れ込む液体の流れをスムーズにし、貫通孔４２での液体の詰りを防止するために役立つことができる。
【００７５】
次に、使い捨て内壁として機能する袋体３１を、コネクター３３によりカップ本体３０へ取付けおよび取外す方法について述べる。
【００７６】
図８は、本発明によるコネクター取付手段４を用いて、袋体３１をカップ本体３０へ取付けている概要を示す。
【００７７】
本発明によるコネクター３３は、人の手によって袋体３３およびカップ本体３０へ取付けることも可能であるが、後述するコネクター取付手段４を使用すると、カップ本体３０の形状が人の手が入ることができないほどに小さい場合に特に便利である。
【００７８】
図７には、本発明によるコネクター取付手段４の概略が示されている。コネクター取付手段４は略棒状の形状であって、コネクター３３の貫通孔４２に挿入させることでコネクター３３を支持することができる先端４４と、コネクター３３が前記先端４４を通り抜けてしまうことを防止するストッパー４５と、そして人の手で握ることができる適当な長さを有する本体４６とを含む。
【００７９】
また、コネクター取付手段４の先端４４には、コネクター３３の貫通孔４２の中へ容易に挿入して支持することができるように、略円錐形の形状が与えられている。
【００８０】
図８を参照して説明すると、コネクター３３は前記コネクター取付手段４に支持された後、袋体３１の液体出口３７へコネクター３３の先端４０が袋体３１の内部から外部へ貫き抜けるようにして袋体３１へ取付けられる。
【００８１】
ついで、コネクター３３および袋体３１は、コネクター取付手段４により誘導されて、コネクター３３の先端４０がカップ本体３０の液体出口３５の中へ挿入するように押し込まれ、そして、コネクター３３の後端４１が袋体３１の液体出口周縁部４３を挟み込むようにしてカップ本体３０の内壁と接触するまで押圧される。
【００８２】
図９は、袋体３１をカップ本体３０へ取付けた後、本発明による液体収容カップ３の中へ塗料または園芸用化学薬品等の液体を受け入れる前の状態を示す。
【００８３】
本発明による液体収容カップ３の中へ液体を受け入れるために袋体３１は、カップ本体３０の液体入口３４周縁部より外部へ延ばされた液体入口３６部分をカップ本体の内側から外側へと折り返すことにより、カップ本体３０の中へ内壁を形成させるようにして装着させられる。
【００８４】
袋体３１の中へは塗料または園芸用化学薬品等の液体が入れられ、必要があればその中で液体は、混合または他の液体と調合されてもよい。
【００８５】
図１０は、本発明により液体を収容した袋体３１がヒートシール４７を施された状態を示す。液体を収容した後、カップ本体３０の外側へ折り返された袋体３１の延長された液体入口３６は、カップ本体３０の液体入口３４の上方に位置するように引き戻される（図１０参照）。
【００８６】
そして、袋体３１の延長された液体入口３６は、外部ヒートシーラー等のシール手段（図示せず）によってシール４７され、カップ本体３０の中へ適当に収納された後、キャップ３２を袋体３１の上方からカップ本体３０へねじ込むことにより、液体を収容した袋体３１をカップ本体３０の中へ閉じ込める。
【００８７】
スプレーガン使用時においては、本発明による液体収容カップ３の中に収容された液体が消費されることによって生じる減圧作用により、袋体３１はカップ本体３０の中で自然に、かつ自由に潰れることができる。
【００８８】
そして、収容された液体を全て消費し、袋体３１の中が空の状態となった時は、カップ本体３０よりキャップ３２を取外し、そしてカップ本体３０の中で液体の消費により潰れた袋体３１は、人の手によりコネクター３３と共にカップ本体３０の外部へ引き抜かれる。
【００８９】
さらに、空となって潰れた袋体３１は、扁平状に折り畳んでコンパクトにさせた後、コネクター３３を取付けた状態で適当に廃棄される。また、コネクター３３を再利用する場合は、コネクター３３を袋体３１から取外した後、上記方法により袋体３１のみを廃棄することもできる。
【００９０】
本発明による液体収容カップ３をスプレーガン１に使用した場合は、使用後の塗料または園芸用化学薬品等の液体が残存するのは、カップ本体３０の液体出口３５およびスプレーガン１の中の液体通路及びノズルだけであるので、他の異なる塗料のような液体を使用するためには、前記これらの部分のみを有機溶剤等を用いて洗浄すれば足り、洗浄のために使用する溶剤の量を大幅に削減することができる。
【００９１】
また、本発明による液体収容カップにおいて、使用後に廃棄されるものは、カップ本体３０の内壁として機能してきた袋体３１、または袋体３１のコネクター３３のみであり、さらに本発明においては、特殊なコネクター３３により市販の袋体３１を使用することができるように配慮されているため、極めて安価な液体収容カップが提供される。
【００９２】
このように、本発明によれば、使い捨て内壁として機能する市販の袋体を、特殊なコネクターを用いて取付けることができる、十分に安価で、しかも取扱いが極めて容易な液体収容カップおよびその液体収容カップを取付けたスプレーガンが提供される。
【図面の簡単な説明】
【００９３】
【図１】従来タイプの使い捨て可能な内壁を備えた液体収容カップおよびスプレーガンの分解図である。
【図２】本発明による使い捨て可能な内壁を備えた液体収容カップおよびスプレーガンの分解図である。
【図３】本発明に使用される一般のスプレーガンに付属する液体収容カップおよびそのキャップの分解図である。
【図４】本発明による内壁として使用される袋体の平面図である。
【図５】本発明による袋体をカップ本体へシールして固定するためのコネクターの概略図である。
【図６】本発明によるコネクターにより袋体をカップ本体へシールして固定している状態を示す中心断面図である。
【図７】本発明によるコネクター取付手段の概略図である。
【図８】本発明によるコネクター取付手段を用いて、袋体をカップ本体へ取付ける手順を示す説明図である。
【図９】本発明による外部から液体を受け入れる状態にある液体収容カップを示す説明図である。
【図１０】本発明により、液体を収容した袋体がヒートシールを施された状態を示す説明図である。
【符号の説明】
【００９４】
１    スプレーガン
２    従来の液体収容カップ
３    本発明による液体収容カップ
４    コネクター取付手段
２０  カップ本体
２１  内壁
２２  キャップ
２３  取付カラー
２４  アダプター
２５  開口
３０  カップ本体
３１  袋体
３２  キャップ
３３  コネクター
３４  液体入口
３５  液体出口
３６  液体入口
３７  液体出口
３８  カップ本体外側周縁部
３９  水平ライン
４０  コネクター先端
４１  コネクター後端
４２  貫通孔
４３  液体出口周縁部
４４  コネクター取付手段先端
４５  ストッパー
４６  コネクター取付手段本体
４７  袋体ヒートシール
【図１】
2005224735.tif 000003
【図２】
2005224735.tif 000004
【図３】
2005224735.tif 000005
【図４】
2005224735.tif 000006
【図５】
2005224735.tif 000007
【図６】
2005224735.tif 000008
【図７】
2005224735.tif 000009
【図８】
2005224735.tif 000010
【図９】
2005224735.tif 000011
【図１０】
2005224735.tif 000012